(57)【要約】【課題】防湿性を維持しながら、位置決め精度を確保することができる表示装置、及び表示装置を備えた撮像装置を提供する。【解決手段】本発明に係わる表示装置は、第１基板および第２基板の間に光学変調部材が保持された表示部と、前記表示部を保持する保持枠部と、前記表示部の少なくとも前記第２基板の側面と当接することにより、前記保持枠部に保持された前記表示部の保持位置からの移動を規制する位置決め部と、前記保持枠部の内周面と前記表示部の前記位置決め部とが当接していない側面との間に挿入されるシール部材と、を備える。【選択図】図４
2011039294.tif 000002
【特許請求の範囲】
【請求項１】
第１基板および第２基板の間に光学変調部材が保持された表示部と、
前記表示部を保持する保持枠部と、
前記表示部の少なくとも前記第２基板の側面と当接することにより、前記保持枠部に保持された前記表示部の保持位置からの移動を規制する位置決め部と、
前記保持枠部の内周面と前記表示部の前記位置決め部とが当接していない側面との間に挿入されるシール部材と、
を備えることを特徴とする表示装置。
【請求項２】
請求項１に記載の表示装置であって、
前記位置決め部は、前記第２基板の厚み方向の略中間位置となる側面に当接することを特徴とする表示装置。
【請求項３】
請求項１に記載の表示装置であって、
前記位置決め部は、前記第２基板の厚み方向の側面と、前記第１基板の厚み方向の略中間位置となる側面とに当接することを特徴とする表示装置。
【請求項４】
請求項１〜３のいずれか一項に記載の表示装置であって、
前記保持枠部と前記位置決め部とは単一の部材で構成されることを特徴とする表示装置。
【請求項５】
請求項１〜４のいずれか一項に記載の表示装置であって、
前記シール部材は、遮光性を有することを特徴とする表示装置。
【請求項６】
撮影レンズにより結像された被写体光による像を撮像する撮像部と、
前記被写体光による像を前記撮像部とは異なる位置で結像するファインダ光学系と、
前記ファインダ光学系で結像された前記被写体光による像を観察可能なファインダと、
前記ファインダ光学系の光路上に配置される請求項１〜５のいずれか一項に記載の表示装置と、
を備え、前記ファインダは、前記ファインダ光学系で結像された前記被写体光による像と、前記表示装置に表示された表示情報とを重ね合わせた状態で観察可能なことを特徴とする撮像装置。
【発明の詳細な説明】
【技術分野】
【０００１】
本発明は、表示装置、及び表示装置を備えた撮像装置に関するものである。
【背景技術】
【０００２】
近年、液晶表示パネルは各種電子機器の表示装置として広く用いられている。液晶表示パネルの構造としては、上側ガラス基板と下側ガラス基板との内側対向面にそれぞれ透明電極を形成し、両基板間に液晶組成物を封入するとともに、基板の周囲をシール材により封止したものが一般的である。
【０００３】
しかしながら、液晶表示パネルを高湿度の環境下で使用した場合、上記シール材のみでは十分な防湿効果を維持することが難しく、表示不良が発生することがあった。そこで、液晶表示パネルの外周を防湿性を有する透明合成樹脂で被覆するようにしたものが提案されている（例えば、特許文献１参照）。
【先行技術文献】
【特許文献】
【０００４】
【特許文献１】特開平３−２５２６９２号公報
【発明の概要】
【発明が解決しようとする課題】
【０００５】
しかしながら、特許文献１に記載された液晶表示パネルは、パネルの周囲が透明合成樹脂で被覆されているので外形形状にバラツキが生じやすく、液晶表示パネルの位置決め制度を確保することが難しいという課題があった。
【０００６】
本発明の課題は、防湿性を維持しながら、位置決め精度を確保することができる表示装置、及び表示装置を備えた撮像装置を提供することにある。
【課題を解決するための手段】
【０００７】
請求項１に記載の発明は、第１基板および第２基板の間に光学変調部材が保持された表示部と、前記表示部を保持する保持枠部と、前記表示部の少なくとも前記第２基板の側面と当接することにより、前記保持枠部に保持された前記表示部の保持位置からの移動を規制する位置決め部と、前記保持枠部の内周面と前記表示部の前記位置決め部とが当接していない側面との間に挿入されるシール部材と、を備えることを特徴とする表示装置である。
【発明の効果】
【０００８】
本発明によれば、防湿性を維持しながら、位置決め精度を確保することができる表示装置、及び表示装置を備えた撮像装置を提供することができる。
【図面の簡単な説明】
【０００９】
【図１】実施形態に係わるカメラ内部の光学系を示す側面図である。
【図２】液晶スクリーンの平面図である。
【図３】図２におけるＢ−Ｂ線断面図である。
【図４】図３に示すＣ部の拡大断面図である。
【図５】別の実施形態を示す拡大断面図である。
【発明を実施するための形態】
【００１０】
以下、本発明に係わる表示装置の実施形態について図を用いて説明する。なお、以下に示す図１には、説明と理解とを容易にするために、ＸＹＺの直交座標系を設けた。この座標系では、撮影者が光軸Ａを水平として横長の画像を撮影する場合のカメラ位置（以下、正位置という）において撮影者から見て左側に向かう方向をＸプラス方向とする。また、正位置において上側に向かう方向をＹプラス方向とする。さらに、正位置において被写体に向かう方向をＺ方向とする。
【００１１】
図１は、本発明に係わる表示装置を備えたカメラ１内部の光学系を示す側面図である。カメラ１は、撮影レンズ２と、撮影レンズ２の光軸Ａに沿って配置された絞り４、メインミラー３、シャッタ５、撮像素子６を備えた撮像装置である。メインミラー３は、観察時に撮影レンズ２を通過した被写体光を上方に屈曲させるクイックリターンミラーである。ユーザが撮影のためのレリーズ操作を行うと、メインミラー３は図中上方に回動して、光軸Ａから退避した状態となる。これにより、被写体光は、絞り４、シャッタ５を通過して撮像素子６の受光面に結像される。
【００１２】
また、観察時にメインミラー３によって屈曲された被写体光の光軸上には、ファインダスクリーン７、表示部としての液晶スクリーン２１、ペンタプリズム８が配置されている。被写体の観察時には、メインミラー３は図示する実線位置にあって被写体光を上方に屈曲させている。屈曲された被写体光は、ファインダスクリーン７および液晶スクリーン２１を通過した後、ペンタプリズム８に入射する。ファインダスクリーン７は、被写体光を結像させる部分であり、ファインダスクリーン７によって拡散された被写体光の一部は、接眼レンズ９に導かれて被写体の観察が可能となる。
【００１３】
メインミラー３、ファインダスクリーン７などの光学部材は、被写体光による像を撮像素子６とは異なる位置で結像するファインダ光学系を構成する。液晶スクリーン２１は、このファインダ光学系の光路上に配置される。
【００１４】
ペンタプリズム８、接眼レンズ９は、上記ファインダ光学系で結像された被写体光による像を観察可能なファインダを構成する。このファインダは、上記ファインダ光学系で結像された被写体光による像と、液晶スクリーン２１に表示された表示情報とを重ね合わせた状態で観察可能とするものである。
【００１５】
また、ファインダスクリーン７からの被写体光の一部は、測光用プリズム１０、光用レンズ１１を通過して、測光素子１２に達し、測光値が計測される。
【００１６】
液晶スクリーン２１は、撮影条件や各種の表示枠を表示するものである。ユーザは、上記ファインダを通じて、ファインダスクリーン７に結像された被写体光による像と、液晶スクリーン２１に表示された表示情報とを重ね合わせた状態で観察することができる。次に、本実施形態における液晶スクリーン２１の保持構造について説明する。
【００１７】
図２は、液晶スクリーン２１とその保持機構とを示す平面図、図３は、図２におけるＢ−Ｂ線断面図、図４は、図３に示すＣ部の拡大断面図である。
【００１８】
図３に示すように、液晶スクリーン２１は、上下で対向する第１基板２２および第２基板２３を備えている。カメラ１内において、第１基板２２は、ペンタプリズム側に位置し、第２基板２２は、メインミラー３側に位置する（図１参照）。第１基板２２および第２基板２３は、いずれも矩形状のガラス板によって形成されており（図２参照）、各基板における相手基板との対向面には、図示しない透明電極が形成されている。
【００１９】
第１基板２２および第２基板２３の間には、液晶組成物２４が封入されている。液晶組成物２４は、透明電極への通電状態によって光学特性が変調する光学変調部材である。液晶組成物２４は、第１基板２２および第２基板２３の間の周辺部分に設けられたシール材２５によって封止されている。シール材２５は、第１基板２２および第２基板２３の隙間からの液晶組成物２４の漏洩を防止すると共に、外部から第１基板２２および第２基板の隙間に水分などが浸入するのを防止する役割を果たしている。
【００２０】
液晶スクリーン２１をカメラ１内に配置する場合、視野枠２７が設けられる。視野枠２７は、図１および図２に示すように、液晶スクリーン２１の周辺部分に配置される。
【００２１】
また、液晶スクリーン２１をカメラ１内に配置するための部材として、保持枠部材３１が用いられる。保持枠部材３１の全体は、液晶スクリーン２１と同様に矩形状に形成されている（図２参照）。保持枠部材３１は、カメラ１内の所定位置に固定され、この固定状態で液晶スクリーン２１が内部に格納される。
【００２２】
保持枠部材３１は、図３および図４に示すように、カメラ１への固定を行うための脚枠部３２を有する。また、脚枠部３２の上部には、支持枠部３３および周枠部３４が設けられている。
【００２３】
支持枠部３３は、液晶スクリーン２１を載置する部分である。支持枠部３３は、平面視において液晶スクリーン２１と同様に矩形の枠形状に形成されている。支持枠部３３に液晶スクリーン２１を載置することにより、液晶スクリーン２１の周辺部分が下方から支持される。
【００２４】
周枠部３４は、支持枠部３３よりも外側に設けられている。周枠部３４の前壁３４ａと、支持枠部３３の後壁３３ａとの間には、周溝部３５が形成されている。周溝部３５は、所定幅に形成され、位置決め部材４１が嵌め込まれている。
【００２５】
位置決め部材４１は、樹脂等の硬質材料によって外形が矩形枠状となるように形成されている。位置決め部材４１の厚さＴ１は、周溝部３５の幅と同等となるように形成されている。位置決め部材４１を周溝部３５へ嵌め込むと、位置決め部材４１は、周枠部３４の前壁（保持枠部材３１の内周面）３４ａと支持枠部３３の後壁３３ａとに挟まれて固定される。
【００２６】
位置決め部材４１上には、シール部材５１が嵌め込まれている。ここで、周枠部３４の前壁３４ａは、液晶スクリーン２１の外周面に対向しており、図４に示すように、位置決め部材４１およびシール部材５１の外面が当接する。このような周枠部３４の前壁３４ａは、保持枠部材３１の内周面を構成するものであり、位置決め部材４１およびシール部材５１は、保持枠部材３１の内周面と液晶スクリーン２１の外周面との間に配置されることになる。
【００２７】
シール部材５１は、ゴム等の軟質材料によって矩形枠状に形成されている。シール部材５１は、位置決め部材４１上に嵌め込まれることにより、その下面が位置決め部材４１の上面と接触した状態で位置決め部材４１に固定される。また、シール部材５１は、位置決め部材４１上に嵌め込まれた状態で、さらに視野枠２７によって押え付けられることにより固定される。シール部材５１の厚さとしては、位置決め部材４１の厚さＴ１と同程度か、それよりも幾分厚くなるように設定される。シール部材５１を位置決め部材４１の厚さよりも厚く設定する場合、液晶スクリーン２１によって押された圧縮状態となって液晶スクリーン２１の外周面に密着する。このため、防湿性を高めることができる。
【００２８】
本実施形態において、位置決め部材４１およびシール部材５１は、遮光性を有する。遮光性の付与は、例えば位置決め部材４１およびシール部材５１に、不透明材料を用いたり、これらにカーボン粉を混入したり、表面に塗料を塗布したり、或いは金属箔を蒸着することにより可能である。位置決め部材４１およびシール部材５１が遮光性を有することにより、液晶スクリーン２１を通過する光束が位置決め部材４１およびシール部材５１から漏れることを防止することができる。これによれば、液晶スクリーン２１の表示を明瞭なものとすることができる。
【００２９】
本実施形態においては、図４に示すように、位置決め部材４１を保持枠部材３１に取り付けた状態で、液晶スクリーン２１を保持枠部材３１の内部に格納すると、位置決め部材４１における液晶スクリーン２１側の面４１ａは、第２基板２３の厚み方向の側面２３ａにおける略中間位置に当接する。この当接により、位置決め部材４１は、保持枠部材３１に格納された格納位置から液晶スクリーン２１が移動することを規制している。
【００３０】
一方、図４に示すように、シール部材５１における液晶スクリーン２１側の面５１ａは、第１基板２２の厚み方向の側面２２ａの全体、および第２基板２３の厚み方向の側面２３ａにおける略中間位置に当接している。このようなシール部材５１は、保持枠部材３１の内周面（周枠部３４の前壁３４ａ）と、液晶スクリーン２１の位置決め部材４１が当接していない側面（第１基板２２の厚み方向の側面２２ａおよび第２基板２３の厚み方向の側面における略中間から上部の位置）との間に挿入されている。これにより、第１基板２２および第２基板２３のシール部分（シール材２５の配置部分）は、シール部材５１により覆われることになり、外部から第１基板２２および第２基板２３の隙間に水分などが浸入することが防止される。したがって、液晶スクリーン２１の防湿性を維持することができる。
【００３１】
上述した実施形態によれば、以下の効果を奏する。
（１）保持枠部材３１に対して位置決め部材４１を固定することにより、位置決め部材４１における液晶スクリーン２１側の面４１ａが液晶スクリーン２１における第２基板２３の厚み方向の側面２３ａに当接するため、保持枠部材３１に格納される液晶スクリーン２１の位置決めを高精度に行うことができる。
（２）シール部材５１における液晶スクリーン２１側の面５１ａが、液晶スクリーン２１における第１基板２２および第２基板２３のシール部分（シール材２５の配置部分）を覆うため、外部から第１基板２２および第２基板２３の隙間に水分などが浸入するのを防止することができる。したがって、液晶スクリーン２１の防湿性を維持することができる。
（３）液晶スクリーン２１が防湿性を維持した状態で保持枠部材３１に高精度に位置決めされるため、液晶スクリーン２１の外周を樹脂によって被覆して防湿性を付与する必要がなく、液晶スクリーン２１への余分な付加加工が不要となる。
（４）位置決め部材４１およびシール部材５１が遮光性を有するため、液晶スクリーン２１を通過する光束が位置決め部材４１およびシール部材５１から漏れることがなく、漏光を阻止することができる。
【００３２】
図５は、本発明の別の実施形態を示す断面図であり、図３のＣ部に相当する拡大断面図である。図５では、図４と同等部分に同一符号を付している。本実施形態では、図４に示す実施形態に対し、位置決め部材４１が高くなっており、その分、シール部材５１の厚みが薄くなっている。
【００３３】
位置決め部材４１の液晶スクリーン２１側の面４１ａは、第２基板２３の厚み方向の側面２３ａに当接すると共に、第１基板２２の厚み方向の側面２２ａの略中間位置に当接している。このような当接により、位置決め部材４１と液晶スクリーン２１との当接面積が広くなり、液晶スクリーン２１をより高精度に位置決めすることができる。
【００３４】
本実施形態において、位置決め部材４１における液晶スクリーン２１側の面４１ａは、第１基板２２および第２基板２３のシール部分（シール材２５の配置部分）を覆っている。また、シール部材５１は、この位置決め部材４１の上に配置されている。これによれば、第１基板２２および第２基板２３のシール部分は、シール部材５１および位置決め部材４１により覆われるため、外部から第１基板２２および第２基板２３の隙間に水分などが浸入することが防止される。したがって、液晶スクリーン２１の防湿性を維持することができる。
（変形形態）
【００３５】
以上、説明した実施形態に限定されることなく、以下に示すように種々の変形や変更が可能であり、それらも本発明の範囲内である。
（１）シール部材５１は、接着剤を介して位置決め部材４１上に固定してもよい。また、シール部材５１と位置決め部材４１との対向面に相互に嵌合する凹凸形状を形成し、凹凸形状を噛み合わせることにより固定してもよい。
（２）本実施形態では、保持枠部材３１の周溝部３５に位置決め部材４１を嵌め込むようにしたが、保持枠部材３１と一体に位置決め部材４１を形成するようにしてもよい。
（３）本実施形態では、位置決め部材４１およびシール部材５１が遮光性を有するものとして説明したが、これに限らず、少なくともシール部材５１が遮光性を有するものであればよい。
（４）本実施形態では、表示部として液晶スクリーンを例として説明したが、これに限らず、例えば有機ＥＬパネルなど、他の表示パネルを適用することができる。
（５）本実施形態では、表示部を、カメラ内に格納される液晶スクリーン２１を例として示したが、これに限らず、取り付け精度と防湿性が要求される表示装置全般に適用することができる。
【００３６】
また、上記実施形態および変形形態は適宜に組み合わせて用いることができるが、各実施形態の構成は図示と説明により明らかであるため、詳細な説明を省略する。さらに、本発明は以上説明した実施形態によって限定されることはない。
【符号の説明】
【００３７】
２１：液晶スクリーン、２２：第１基板、２２ａ：側面、２３：第２基板、２３ａ：側面、２４：液晶組成物、２５：シール材、３１：保持枠部材、４１：位置決め部材、５１：シール部材
【図１】
2011039294.tif 000003
【図２】
2011039294.tif 000004
【図３】
2011039294.tif 000005
【図４】
2011039294.tif 000006
【図５】
2011039294.tif 000007